(57)【要約】【課題】開封時に紙片屑を生ずることなく、内容物の収容状態に拘わらず簡単に開封することが出来、開封後には再び閉蓋することが可能な包装箱を提供する。【解決手段】箱本体に開封蓋を内側フラップと外側フラップを重ね合わせて貼着して構成し、この外側フラップには、貼着部と非貼着部に２分する切離し線と、この切離し線に連なり中央に押込み開口を有する一対の差込み片と、糊代部を形成する。一方、内側フラップには、上記差込み片を挿入する差込み溝を設ける。そして押込み開口から内側フラップを収容空間内に押し込んで指先を挿入して外側フラップを引き上げることによって２つに分離する。【選択図】図２
0003164749.tif 000002
【実用新案登録請求の範囲】
【請求項１】
収容空間を有する包装箱であって、
直方体、正方体、円筒体など適宜形状の箱本体と、
この箱本体に形成された開封蓋と、
を備え、
前記開封蓋は、
前記箱本体の対向する側板の一方に形成した内側フラップと他方に形成した外側フラップを重ね合わせて貼着するように構成され、
前記外側フラップには、貼着部と非貼着部に２分する切離し線と、
この貼着部に形成された糊代部と、
前記切離し線に連なり中央に押込み開口を有する一対の差込み片と、
が設けられ、
前記内側フラップには、前記一対の差込み片を挿入する差込み溝が設けられ、
前記押込み開口から前記内側フラップを収容空間内に押し込んで外側フラップを引き上げることによって前記切離し線で外側フラップを２つに分離することを特徴とする包装箱。
【請求項２】
前記外側フラップの押し込み開口は、使用者の指先で前記内側フラップを押入操作可能に形成され、
前記内側フラップは前記差込み溝で収容空間内に没入可能に形成されていることを特徴とする請求項１に記載の包装箱。
【請求項３】
前記開封蓋は、前記箱本体の上蓋部と底蓋部のそれぞれに設けられていることを特徴とする請求項１に記載の包装箱。
【請求項４】
前記切離し線は二重のミシン目で形成されていることを特徴とする請求項１に記載の包装箱。
【考案の詳細な説明】
【技術分野】
【０００１】
本発明は、菓子、氷菓などの包装箱に係わり、開封時に切片屑が生ずる恐れのない包装箱の蓋構造の改良に関する。
【背景技術】
【０００２】
従来、食品等の包装箱として、例えば特許文献１（特開平０５−１２４６３８号公報）に開示されているように、内部に収容空間を有する六面体を厚紙などで形成し、その折り重ねフラップ部を接着剤で封印し、このフラップ部に帯状の切離片をミシン目など出形成している。そして使用者はこの帯状切離片を引き剥がして開封している。このような包装形態では、開封したか否かが一目で分かるため、食品などの包装形態として広く使用されている。
【０００３】
このような帯状切離し片では、開封時に切り離し後の帯状片が紙片ゴミとして残る問題があり、その改良として例えば特許文献２（特開２００６−１３７４６４号公報）に開示されているように、箱本体の対向する側面から内折りフラップと外折フラップを折り重ねて接着剤で綴じ合わせて開封蓋を形成し、この開封蓋に外折フラップに切離し線を設け、使用者がこの切離し線を切り離して開封する構造が提案されている。
【０００４】
同文献には、外折フラップに突起形状の押込み片を設け、内側フラップにこの押込み片を挿入する切欠き溝を設け、開封後に押込み片を切欠き溝に挿入することによって閉蓋出来るようにしている。
【先行技術文献】
【特許文献】
【０００５】
【特許文献１】特開平０５−１２４６３８号公報
【特許文献２】特開２００６−１３７４６４号公報
【考案の概要】
【考案が解決しようとする課題】
【０００６】
上述のように開封蓋に帯状切り離し片を設ける蓋構造では、開封時に紙片屑発生し、その処理が面倒である。そこで外折フラップにミシン目などの切離し片を設ける蓋構造が提案されている。この構造の場合には切り離し後に外折フラップの一部は内側フラップに接着剤で貼着されているため開封時に不要な紙片屑が残ることがない。
【０００７】
従来は、特許文献２に開示されているように外折フラップにミシン目を設け、この切離し部を箱内部に向かって押圧することによって切り離している。このように箱内部にフラップを押し込む開封構造では、内容物の収納状態によって容易に切り離せない問題が生ずる。
【０００８】
これと同時に開封蓋には、開封後に再閉蓋（リクローズ）するために切離し線で差込み凸片を形成し、内折りフラップに形成した差し込み溝に凸片を挿入するようにしている。
【０００９】
本考案者は外折フラップに形成した切離し線を外部方向に引き上げることによって切り離すとの着想に基づき、外折フラップに内折フラップとの間に使用者の指先を挿入する開口を設け、この開口に連ねて切り離し線を形成することを案出するに至った。
【００１０】
本考案は、開封時に紙片屑を生ずることなく、内容物の収容状態に拘わらず簡単に開封することが出来、開封後には再び閉蓋することが可能な包装箱の提供をその課題としている。更に本考案は、使用後に嵩張ることなく折り畳んだ状態で処理することが可能な包装箱の提供をその課題としている。
【課題を解決するための手段】
【００１１】
上記課題を達成するため本考案は、箱本体に開封蓋を内側フラップと外側フラップを重ね合わせて貼着して構成し、この外側フラップには、貼着部と非貼着部に２分する切離し線と、この切離し線に連なり中央に押込み開口を有する一対の差込み片と、糊代部を形成する。一方、内側フラップには、上記差込み片を挿入する差込み溝を設ける。そして押込み開口から内側フラップを収容空間内に押し込んで指先を挿入して外側フラップを引き上げることによって２つに分離することを特徴としている。
【００１２】
収容空間を有する包装箱（Ａ）であって、直方体、正方体、円筒体など適宜形状の箱本体（１０）と、この箱本体に形成された開封蓋（１２）と、を備え、開封蓋は、箱本体の対向する側板（１５）の一方に形成した内側フラップ（１６）と他方に形成した外側フラップ（１７）を重ね合わせて貼着するように構成する。外側フラップには、貼着部（１７ａ）と非貼着部（１７ｂ）に２分する切離し線（２９）と、この貼着部に形成された糊代部と、切離し線に連なり中央に押込み開口を有する一対の差込み片（２７ａ、２７ｂ）と、が設けられ、内側フラップには、一対の差込み片を挿入する差込み溝（２６）が設けられ、押込み開口から内側フラップを収容空間内に押し込んで外側フラップを引き上げることによって切離し線で外側フラップを２つに分離する。
【００１３】
上記外側フラップの押し込み開口は、使用者の指先で内側フラップを押入操作可能に形成され、内側フラップは上記差込み溝で収容空間内に没入可能に形成する。
【００１４】
開封蓋は、箱本体の上蓋部（１２）と底蓋部（１３）のそれぞれに設ける。これによって使用後は上蓋部と同様に底蓋部の外側フラップを切離し線で２つに分離すると箱本体を折り畳んで処分することが出来る。
【００１５】
上記切離し線は二重のミシン目で形成する。これによって、切り離し部に大きなギザギザを形成することが無く簡単に開封することが出来る。
【考案の効果】
【００１６】
本考案は、開封蓋を構成する外側フラップに貼着部と非貼着部に２分する切離し線と、この切離し線に連なり中央に押込み開口を有する一対の差込み片を形成し、内側フラップに差込み溝を設け、押込み開口から指先を挿入して外側フラップを引き上げることによって２つに分離するものであるから以下の効果を奏する。
【００１７】
外側フラップを押込み開口から挿入した指先で引き上げることによって分離開封するから、内容物の収容状態に関係なく、開封することが出来る。従って外側フラップを内部に押し込んで開封する蓋構造に比べ、開封が容易である。これと共に外側フラップは接着剤などで内側フラップに貼着された状態で２分されるから開封時に紙片屑が発生することがない。
【００１８】
更に本考案は、箱本体の上蓋部と底蓋部それぞれの外側フラップに切離し線を設けることによって使用後に箱本体を折り畳んだ状態で処分することが出来る。
【図面の簡単な説明】
【００１９】
【図１】本考案に係る包装箱の全体斜視図。
【図２】図１の包装箱の展開図。
【図３】図１の包装箱の開蓋状態の説明図。
【図４】（ａ）は閉蓋状態を示す平面図であり、（ｂ）は開封状態を示す平面図。
【図５】図１と異なる包装箱の実施形態を示す。（ａ）は全体図であり、（ｂ）は開封蓋の説明図。
【考案を実施するための形態】
【００２０】
以下図示の実施形態に基づいて本考案を詳述する。
図１は、本考案に係わる包装箱Ａの斜視図であり、箱本体１０と、開封蓋１２と、底蓋１３とから構成されている。箱本体１０は直方体、正方体、など六面体で構成されるか、或いは後述する筒体３５で構成される。
【００２１】
図２に図１の包装箱Ａの展開図を示すが、上記開封蓋１２は、箱本体１０の対向する側板１５（正面側板１５ａ、背面側板１５ｂ）から内側フラップ１６と外側フラップ１７を折り曲げ片で構成する。図示のものは正面側板１５ａから内側フラップ１６が、背面側板１５ｂから外側フラップ１７が折曲げ形成されている。
【００２２】
また底蓋１３は、正面側板１５ａから内側フラップ１８が、背面側板１５ｂから外側フラップ１９が折曲げ形成されている。
【００２３】
図示２０ａ、２０ｂは端板であり、それぞれ端フラップ２１、２２が形成されている。図示１４は継ぎ代片であり、正面側板１５ａに一体の折り曲げ片で構成されている。
【００２４】
上記開封蓋１２と、底蓋１３は同一構造であるので以下開封蓋１２の構造について説明する。開封蓋１２は、図１に示すように端フラップ２１を折曲げ、その上に内側フラップ１６を折曲げ、更にその上に外側フラップ１７を折り曲げる。この内側フラップ１６と外側フラップ１７とは接着剤で封止される。
【００２５】
上記内側フラップ１６には、差込み溝２６が形成されている。この差込み溝２６は図２に示すように円弧形状の切欠きで形成されている。この差し込み溝２６は内側フラップ１６の貼着部２３の内側（折り返し基端部側）に設けられ、後述する外側フラップ１７の差込み片２７ａ、２７ｂを差し込む位置に配置されている。貼着部２３には外側フラップ１７の貼着部１７ａと合致するエリアにシボ（凹凸面）を有する糊代部２４が設けられ、このシボで接着剤の貼着強度を強めている。
【００２６】
上記外側フラップ１７は、貼着部１７ａと非貼着部１７ｂに切離し線２９で２分されている。上記切離し線２９に連なる中央部に押込み開口３０が設けられ、この押し込み開口３０の左右に一対の差込み片２７ａ、２７ｂが形成されている。つまり外側フラップ１７は、切離し線２９と、これに連続する差込み片２７ａ、２７ｂで貼着部１７ａと非貼着部１７ｂに二分割され、左右の差込み片２７ａ、２７ｂの間に押込み開口３０が設けられている。
【００２７】
上記押込み開口３０は使用者の指（例えば人差し指）が挿入可能に形成され、この開口から直接内側フラップ１６に触れることが可能となる。この開口３０の内側フラップ１６には前述の差込み溝２６が位置している。従って外側フラップ１７の開口３０から内側フラップ１６を押下すると、使用者の指は外側フラップ１７と内側フラップ１６の間に侵入可能となる。
【００２８】
図３は外側フラップ１７の開口３０から使用者が指を挿入した状態を示す。この状態で内側フラップ１６は差込み溝２６で収容部の内側に凹み、使用者の指が内外フラップの隙間に進入する。そして図示矢印方向に外側フラップ１７引き上げると、切離し線２９で外側フラップ１７は二分割され、貼着部１７ａは内側フラップ１６に一体に貼着した状態となる。
【００２９】
なお、底蓋１３の外側フラップ１９にも同様の切離し線２９が形成され、開封蓋１２と同様に２分割される。この開封蓋１２と底蓋１３の外側フラップ１７、１９を切離し線２９で分離した状態で箱本体１０は折り畳むことが出来、嵩張ることなく処分することが可能となる。
【００３０】
次に図５には、箱本体の異なる実施形態を示す。同図のものは箱本体３５を断面楕円形状に構成する場合を示し、開封蓋３６は前述の開封蓋１２と同一構造に形成してある。
【符号の説明】
【００３１】
Ａ              包装箱
１０            箱本体
１２            開封蓋
１３            底蓋
１４            継ぎ代片
１５            側板
１５ａ          正面則板
１５ｂ          背面則板
１６、１８      内側フラップ
１７、１９      外側フラップ
１７ａ          貼着部
１７ｂ          非貼着部
２０ａ、２０ｂ  端板
２１            端スラップ
２２            端フラップ
２３            貼着部
２４            糊代部
２６            差込み溝
２７ａ、２７ｂ  差込み片
２９            切離し線
３０            押込み開口
３５            筒体（箱本体）
３６            開封蓋
【図１】
0003164749.tif 000003
【図２】
0003164749.tif 000004
【図３】
0003164749.tif 000005
【図４】
0003164749.tif 000006
【図５】
0003164749.tif 000007